(57)【要約】【課題】  巻尺を使用して対象物の高さや幅や距離を測定する作業は、巻尺の目盛板を測定する対象物に対して直角又は垂直に固定する作業の正確さによって、測定結果に差異が生じる。つまり、作業者の経験に左右され易い。【解決手段】  巻尺１の目盛板３の伸び方向に対して、直角や垂直の方向に伸張させた形状の器具１２に  目盛板の先端の部品４の厚さ寸法に近似な窪みと  目盛板３の幅寸法以上の窪みを形成する。また、弾性体１８の弾力を利用して、巻尺の目盛板３の曲面と近似な凹凸面の形状の部位１６で巻尺の目盛板を挟み込む。以上の構成である巻尺の測定補助器具を測定する対象物の端際に重ねる。その結果、巻尺の目盛板を測定する対象物に対して直角又は垂直に固定する事ができる。よって、測定結果が作業者の経験に左右され難くなる。【選択図】図１
2008180684.tif 000002
【特許請求の範囲】
【請求項１】
巻尺（通称コンベックス）にて測定の際、巻尺の目盛板に、接触のみで位置決めできる構造と、巻尺の目盛板の伸び方向に対して、直角の方向や垂直の方向に伸張させた形状を特徴とする測定補助器具。
【請求項２】
通常時（測定の直前も含む）から、巻尺の目盛板に固定してあり、巻尺の目盛板の伸び方向に対して、直角の方向や垂直の方向に伸張させた形状を特徴とする測定補助器具。
【請求項３】
通常時（測定の直前も含む）から、巻尺の目盛板に固定してあり、器具を構成する要素として伸縮する構造や回転する構造を有していて、また測定の際には、巻尺の目盛板の伸び方向に対して、直角の方向や垂直の方向に伸張させた形状を保持できる構造を併せて有していることを特徴とする測定補助器具。
【請求項４】
巻尺にて測定の際、巻尺の目盛板の伸び方向に対して、直角の方向や垂直の方向に金属製の直尺（通称スケール）を固定する為に磁石を用いた構成を特徴とする測定補助器具。
【請求項５】
巻尺の目盛板と接触する測定補助器具の部位に、巻尺の目盛板の伸び方向への直進性を助成する要素である曲面の構成と  近似な曲面の構成を有する凹面体と凸面体が、少なくとも一つ組成されていることを特徴とする請求項１から請求項４のいずれか１項に記載した測定補助器具。
【請求項６】
巻尺の目盛板と接触する測定補助器具の部位が、巻尺の目盛板を挟み込んで固定する構造を有していることを特徴とする請求項２から請求項４のいずれか１項に記載した測定補助器具。
【請求項７】
弾性体を使用して、巻尺の目盛板に固定する構造を有していることを特徴とする請求項６に記載した測定補助器具。
【請求項８】
巻尺の目盛板と接触する測定補助器具の部位に巻尺の目盛板の幅寸法以上の窪みを有することを特徴とする請求項１から請求項４のいずれか１項に記載した測定補助器具。
【請求項９】
巻尺の目盛板と接触する測定補助器具の部位に、巻尺を構成する要素である目盛板の先端の部品の厚さ寸法に近似な窪みを有することを特徴とする請求項１から請求項４のいずれか１項に記載した測定補助器具。
【請求項１０】
巻尺の目盛板と接触する測定補助器具の部位に磁石を用いて、巻尺の目盛板と器具の脱着を可能にしたことを特徴とする請求項１から請求項４のいずれか１項に記載した測定補助器具。
【請求項１１】
巻尺にて測定の際、巻尺の目盛板の伸び方向に対して、直角の方向や垂直の方向に読み取れる目盛を器具に表示したことを特徴とする請求項１から請求項４のいずれか１項に記載した測定補助器具。
【発明の詳細な説明】
【技術分野】
【０００１】  本発明は、巻尺（通称コンベックス）を使用して測定する作業を補助する器具である。
【背景技術】
【０００２】  従来、巻尺を使用して対象物の高さや幅や対象物からの距離を測定する場合において、２点以上の測定を試みる方法や差し金等を併用する作業が、作業者の経験や勘に左右され、その測定結果の精度に差異が生じている。
【発明の開示】
【発明が解決しようとする課題】
【０００３】  従来、巻尺での測定の際、巻尺の目盛板を測定する対象物に対して直角又は垂直に固定する作業が、作業者の経験や勘に左右される事により、測定結果の精度に差異が生じている。そこで、本発明は、測定の際に巻尺の目盛板と測定する対象物とで、誰でも、直角又は垂直が判る目安を提供する事を課題とする。
【課題を解決するための手段】
【０００４】  上記課題を解決する為、本願の請求項１に記載した測定補助器具の構造は、巻尺にて測定の際、巻尺の目盛板に、接触のみで位置決めできる構造と、巻尺の目盛板の伸び方向に対して、直角の方向や垂直の方向に伸張させた形状を有することが特徴である。【０００５】  上記課題を解決する為、本願の請求項２に記載した測定補助器具の構造は、通常時（測定の直前も含む）から、巻尺の目盛板に固定してあり、巻尺の目盛板の伸び方向に対して、直角の方向や垂直の方向に伸張させた形状を有することが特徴である。【０００６】  上記課題を解決する為、本願の請求項３に記載した測定補助器具の構造は、通常時（測定の直前も含む）から、巻尺の目盛板に固定してあり、器具を構成する要素として伸縮する構造や回転する構造を有していて、また測定の際には、巻尺の目盛板の伸び方向に対して、直角の方向や垂直の方向に伸張させた形状を保持できる構造を併せて有することが特徴である。【０００７】  上記課題を解決する為、本願の請求項４に記載の測定補助器具の構造は、巻尺（通称コンベックス）にて測定の際、巻尺の目盛板の伸び方向に対して、直角の方向や垂直の方向に金属製の直尺（通称スケール）を固定する為に磁石を用いた構成を特徴とする。【０００８】  上記課題を解決する為、本願の請求項５に記載の測定補助器具の構造は、請求項１から請求項４のいずれか１項に記載した測定補助器具において、巻尺の目盛板と接触する測定補助器具の部位に、巻尺が目盛板の伸び方向への直進性を助成する要素である曲面の構成と  近似な曲面の構成を有する凹面か凸面が、少なくとも一つ組成されていることを特徴とする。【０００９】  上記課題を解決する為、本願の請求項６に記載の測定補助器具の構造は、請求項２から請求項４のいずれか１項に記載した測定補助器具において、巻尺の目盛板と接触する測定補助器具の部位が、巻尺の目盛板を挟み込んで固定する構造を有していることを特徴とする。【００１０】  また、弾性体を使用して、巻尺の目盛板に固定する構造を有していることを特徴とする請求項７による測定補助器具。【００１１】  上記課題を解決する為、本願の請求項８に記載の測定補助器具の構造は、請求項１から請求項４のいずれか１項に記載した測定補助器具において、巻尺の目盛板と接触する測定補助器具の部位に巻尺の目盛板の幅寸法以上の窪みを有する事を特徴とする。【００１２】  また、巻尺の目盛板と接触する測定補助器具の部位に  巻尺の目盛板を構成する要素である先端の部品の厚さ寸法に近似な窪みを有することを特徴とする請求項９による測定補助器具。【００１３】    上記課題を解決する為、本願の請求項１０に記載の測定補助器具の構造は、請求項１から請求項４のいずれか１項に記載した測定補助器具において、巻尺と接触する測定補助器具の部位に磁石を用いて、巻尺の目盛板と器具の脱着を可能にしたことを特徴とする。【００１４】  また、請求項１から請求項４のいずれか１項に記載した測定補助器具において、測定の際に巻尺の目盛板の伸び方向に対して、直角の方向や垂直の方向に読み取れる目盛を測定補助器具に表示することを特徴とする。
【発明の効果】
【００１５】  本発明は次のような効果を奏する。【００１６】  本発明の測定補助器具によれば、作業者が二人で長い距離を巻尺で測定する場合、測定する対象物の両端で各々が本発明の測定補助器具を使用すると、測る対象物に対して巻尺の目盛板を直角や垂直の目安ができる。この目安に各々が、測る対象物の一辺を重ねて測定する。これにより、測定結果の精度が作業者の経験や勘に左右され難くなる測定補助器具を提供できる。【００１７】  本発明の測定補助器具によれば、作業者が一人で短い距離を巻尺で測定する場合、固定された本発明の測定補助器具の先端側、即ち、巻尺の先端側と測る対象物の対辺に接触させて測定する。これにより、測る対象物の対辺と巻尺の目盛板が直角に構成されて、測定結果の精度が作業者の経験や勘に左右され難くなる測定補助器具を提供できる。【００１８】  また、本発明の測定補助器具において、狭い場所での測定の為、伸縮や回転する構造を備え、相乗効果として収納時に小さくできる測定補助器具を提供できる。【００１９】  また、既存する直尺（通称スケール）を本発明の測定補助器具に使用することで、より安価に巻尺の測定補助器具を提供できる。【００２０】  また、巻尺の目盛板と本発明の測定補助器具が面接触する構造により、位置決めの精度や固定の強度を向上させることができる。よって、より測定結果の精度の向上が可能な測定補助器具を提供できる。【００２１】  また、挟み込んで固定する構造により、位置決めの精度や固定の強度を向上させることができる。さらに、弾性体の弾力を利用して、より確実な固定ができる。よって、より測定結果の精度の向上が可能な測定補助器具を提供できる。【００２２】  また、目盛板が平らな巻尺（通称メジャーテープ）に対しても位置決めの精度を向上させることができる。よって、より測定結果の精度の向上が可能な測定補助器具を提供できる。【００２３】また、巻尺の目盛板と器具を磁石の磁力で脱着させる構造は、位置決めの精度や固定の強度及び、より容易に確実な固定ができる。よって、より測定結果の精度の向上が可能な測定補助器具を提供できる。【００２４】  また、巻尺の目盛板との併用で、差し金としての利用も可能になる測定補助器具を提供できる。
【発明を実施するための最良の形態】
【００２５】  本発明の巻尺の測定補助器具を、実施するための最良の形態について、実施例１を表す図１を参考にして、以下説明する。【００２６】  巻尺１にて測定の際、巻尺の目盛板３の伸び方向に対して、直角の方向や垂直の方向に伸張させた形状の器具１２を有する器具を構築する。
また、この形状に至る過程において、伸縮する構造や回転する構造を有しても良い。（図６・図７・図８・図９参考）
また、この形状は、測定補助器具と一体形であっても、既存する金属製の直尺（通称スケール）と組み合わせて構成しても良い。
また、既存する直尺と測定補助器具を磁石の磁力のみで、仮固定する構成であっても良い。（図６・図７・図８参考）【００２７】  巻尺にて測定の際、巻尺の目盛板の伸び方向に対して、直角の方向や垂直の方向に固定が可能な構造は、少なくとも次ぎの一つか、若しくは複数個を組み合わせた要素により構成される。
（１）  一つの要素として、巻尺の目盛板と接触する測定補助器具の部位に、巻尺が目盛板の伸び方向への直進性を助成する要素である曲面の構成と  近似な曲面の構成を有する凹面か凸面の形状の部位１６が、少なくとも一つ組成されている器具。
（２）  一つの要素として、前記の部位が、巻尺の目盛板を挟み込んで固定する器具１１。
（３）  一つの要素として、前記の部位に弾性体１８を使用する器具。
（４）  一つの要素として、前記の部位に巻尺の目盛板の幅寸法以上の窪みを有する器具。
（５）  一つの要素として、前記の部位に巻尺の目盛板の先端の部品４の厚さ寸法に近似な窪みの部位１４を有する器具。
（６）  一つの要素として、前記の部位に磁石を用いて脱着を可能にした構造を有する器具。【００２８】  以上説明した構成により、巻尺の測定補助器具は目的を達成できる。【００２９】  また、  本発明の巻尺の測定補助器具に巻尺の目盛板と直角に読み取れる目盛１３を表示すると、差し金として最低限の必要条件を満たし、差し金として使用が可能になる。
【実施例】
【００３０】  以下に巻尺の測定補助器具のいくつかの実施例について説明する。【００３１】  ［実施例２］
本発明の巻尺の測定補助器具を、実施するための形態について、図２を参考にして以下説明する。また、この実施例２は単なる一例である。
巻尺の目盛板の伸び方向に対して、直角の方向や垂直の方向に伸張させた形状の器具２２と、先端の部品４の厚さ寸法に近似な窪みを有する部位２４及び、目盛板の幅寸法以上の窪みを有する部位２５により構成される。また、目盛２３を表示した。【００３２】  ［実施例３］
本発明の巻尺の測定補助器具を、実施するための形態について、図３及び図４及び図５を参考にして以下説明する。また、この実施例３は単なる一例である。
目盛板の幅寸法以上の窪みを有する器具３５に先端の部品４の厚さ寸法に近似な窪みを有する部位３４と凹面の形状の部位３６ｂ及び、止め具３８を形成した器具と、凸面の形状の部位３６ａを有する巻尺の目盛板を挟み込んで固定する器具３１を  可動部３７により組み合わせた測定補助器具が、巻尺の目盛板と接触する部位に磁石３９を構成してある。
この構成により、既存する金属製の直尺２を巻尺の目盛板の伸び方向に対して、直角の方向や垂直の方向に伸張させた形状の器具として用いる事が可能になる。また、測定の際に用いる金属製の直尺２の末端と目盛板の先端の部品４の末端を揃える事によって、更には、より長い金属製の直尺２を使用する事によって、測定結果の精度の向上が可能である。【００３３】  ［実施例４］
本発明の巻尺の測定補助器具を、実施するための形態について、図６及び図７及び図８を参考にして以下説明する。また、この実施例４は単なる一例である。
目盛板４３の先端の部品４４に可動部（回転する構造の部位）４７ａを介して、可動部（回転する構造の部位）４７ｂを有している巻尺の目盛板の伸び方向に対して、直角の方向や垂直の方向に伸張させた形状の器具４２を設ける。構造的には、この測定補助器具は巻尺４０を構成する一部品である。即ち、測定結果の精度が作業者の経験や勘に左右され難くなる測定補助器具を備えていて、収納の為に折りたためる構造を併せて有する巻尺４０を提供できる。【００３４】  ［実施例５］
本発明の巻尺の測定補助器具を、実施するための形態について、図９を参考にして以下説明する。また、この実施例５は単なる一例である。
弾性体５８の弾力により、先端の部品の厚さ寸法に近似な窪みを有する部位５４及び凹面の形状の部位５６ｂと、凸面の形状の部位５６ａが巻尺の目盛板を挟み込んで固定する器具５１に可動部（回転する構造の部位）５７ａを介して、可動部（伸縮する構造の部位）５７ｂを有する巻尺の目盛板の伸び方向に対して、直角の方向や垂直の方向に伸張させた形状の器具５２を組み合わせる。この構成は、収納の為に折りたためる構造を有していて、測定結果の精度が作業者の経験や勘に左右され難くなる測定補助器具を提供する。
【図面の簡単な説明】
【００３５】
【図１】  本発明を実施するための最良の形態及び、実施例１による実施時における斜視図である。
【図２】  実施例２による実施時における斜視図である。
【図３】  実施例３に記載した測定補助器具を上方寄りから見た平面図である。
【図４】  実施例３に記載した測定補助器具を巻尺の本体寄りから見た正面図である。
【図５】  実施例３に記載した測定補助器具の側面図である。
【図６】  実施例４に記載した可動部４７ａ及び４７ｂが共に測定時の形体を有する測定補助器具を上方寄りから見た平面図である。
【図７】  実施例４に記載した可動部４７ａ及び４７ｂが測定時から４５°回転した形体を有する測定補助器具を目盛板の先端から見た正面図である。
【図８】  実施例４に記載した可動部４７ａ及び４７ｂが測定時から９０°回転した形体を有する測定補助器具の側面図である。
【図９】  実施例５に記載した測定補助器具の斜視図である。
【符号の説明】
【００３６】１    巻尺（通称メジャーテープ）
２    金属製の直尺（通称スケール）
３    目盛板
４    目盛板の先端の部品
１１  巻尺の目盛板を挟み込んで固定する器具
１２  巻尺の目盛板の伸び方向に対して、直角の方向や垂直の方向に伸張させた形状の器具
１３  目盛
１４  先端の部品の厚さ寸法に近似な窪みの部位
１６  凸面の形状の部位
１８  弾性体
【００３７】２２  巻尺の目盛板の伸び方向に対して、直角の方向や垂直の方向に伸張させた形状の器具
２３  目盛
２４  先端の部品の厚さ寸法に近似な窪みを有する部位
２５  目盛板の幅寸法以上の窪みを有する部位
【００３８】３１  巻尺の目盛板を挟み込んで固定する器具
３４  先端の部品の厚さ寸法に近似な窪みを有する部位
３５  目盛板の幅寸法以上の窪みを有する器具
３６ａ  凸面の形状の部位
３６ｂ  凹面の形状の部位
３７  可動部
３８  止め具
３９  磁石
【００３９】４０  巻尺
４２  巻尺の目盛板の伸び方向に対して、直角の方向や垂直の方向に伸張させた形状の器具
４３  目盛板
４４  目盛板の先端の部品
４７ａ  可動部（回転する構造の部位）
４７ｂ  可動部（回転する構造の部位）
【００４０】５１  巻尺の目盛板を挟み込んで固定する器具
５２  巻尺の目盛板の伸び方向に対して、直角の方向や垂直の方向に伸張させた形状の器具
５４  先端の部品の厚さ寸法に近似な窪みを有する部位
５６ａ  凸面の形状の部位
５６ｂ  凹面の形状の部位
５７ａ  可動部（回転する構造の部位）
５７ｂ  可動部（伸縮する構造の部位）
５８  弾性体
【図１】
2008180684.tif 000003
【図２】
2008180684.tif 000004
【図３】
2008180684.tif 000005
【図４】
2008180684.tif 000006
【図５】
2008180684.tif 000007
【図６】
2008180684.tif 000008
【図７】
2008180684.tif 000009
【図８】
2008180684.tif 000010
【図９】
2008180684.tif 000011